(57)【要約】【課題】保護鏡の組立てが簡単で快速的であって、液晶ディスプレイの正常操作に影響しない液晶ディスプレイ用保護鏡の保護装置を提供する。【解決手段】保護鏡の保護装置は、鏡台と挟み保持ブロックと帯とが含有され、該鏡台は保護鏡を放置するための上へ向かう開口が形成される凹槽が設けられ、その一側から伸ばす突出ブロックがあり、該挟み保持ブロックは帯を嵌設するための下へ向かう開口が形成される欠け口が設けられ、該帯は両端にそれぞれ支持固定素子が設けられる。【選択図】図２
0003120025.tif 000002
【実用新案登録請求の範囲】
【請求項１】
保護鏡を放置するための上へ向かう開口が形成される凹槽が設けられ、また、その一側から伸ばす突出ブロックがある鏡台と、枠無しの透明材質で作製される保護鏡と、が含有され、当該鏡台の突出ブロックを液晶ディスプレイの外枠の内縁に抵当し、当該保護鏡を当該鏡台の凹槽内に放置して定位することにより、簡単に保護置を実装できることを特徴とする液晶ディスプレイ用保護鏡の保護装置。
【請求項２】
保護鏡を放置するための上へ向かう開口が形成される凹槽が設けられ、また、その一側から伸ばす突出ブロックがある鏡台と、帯を嵌設するための下へ向かう開口が形成される欠け口が設けられる挟み保持ブロックと、両端にそれぞれ支持固定素子が設けられる帯と、枠無しの透明材質で作製される保護鏡と、が含有され、当該鏡台の突出ブロックを液晶ディスプレイの外枠の内縁に抵当し、当該保護鏡を当該鏡台の凹槽内に放置して定位して、挟み保持ブロックを鏡台の下方に固設し、当該帯をその欠け口の両側から上方や斜めの後方を回すように、両端にある支持固定素子が、互いに液晶ディスプレイの上部で結合するか、それぞれ、液晶ディスプレイの裏面の放熱穴に係合するかにおり、確実且つ安定的に当該保護鏡を設置できることを特徴とする液晶ディスプレイ用保護鏡の保護装置。
【請求項３】
当該保護鏡は、ガラスやアクリル或いは透過率が良い透明プラスチック等の材質で作製されることを特徴とする請求項１や２に記載の液晶ディスプレイ用保護鏡の保護装置。
【請求項４】
更に、同時に保護鏡と鏡台をカバーできる門形カバーがあることを特徴とする請求項１や２に記載の液晶ディスプレイ用保護鏡の保護装置。
【請求項５】
当該支持固定素子は、フックやタッチファスナー或いはベルトファスナー等であることを特徴とする請求項２に記載の液晶ディスプレイ用保護鏡の保護装置。
【請求項６】
当該鏡台と当該挟み保持ブロックは、一体成型により作製され、直接に、当該鏡台の上方に凹槽を設けて、下方に対応する欠け口を設け、凹槽の一側から伸ばす突出ブロックを設けることを特徴とする請求項２に記載の液晶ディスプレイ用保護鏡の保護装置。
【請求項７】
保護鏡は、更に、隅において、適当な位置に貫通穴が設けられ、帯を、それぞれ、二つの貫通穴に嵌設して、また、液晶ディスプレイの裏面の上方や下方において、両端にある支持固定素子が、互いに結合することにより、固定されることを特徴とする請求項２に記載の液晶ディスプレイ用保護鏡の保護装置。
【考案の詳細な説明】
【技術分野】
【０００１】
本考案は、液晶ディスプレイ保護鏡を実装するための技術に関し、既存の液晶ディスプレイの保護装置を実装する時の不便と設計上の欠点を解消でき、組立てが簡単で、外観の美化及び全スクリーンを閲覧できる効果が得られる液晶ディスプレイ用保護鏡の保護装置に関する。
【背景技術】
【０００２】
液晶ディスプレイの構造は、例えば、TFT-LCD(thin-film transistor liquid-crystal display)で、主として、ガラス基板と、カラーフィルタと、偏光板と、ドライブICと、液晶材料と、配向膜と、バックライトモジュールと、ITO導電薄膜と、外枠等の硬質の化学用品とが含有され、従来のブラウン管の代わりに、液晶ディスプレイが利用される理由は、パネル上にある各点の距離が均一であるため、ラインの表示に誤差がなく、また、体積が小さいため、空間の節約や優れた移動性を実現し、輻射と汚染が零に近く、エネルギーの節約が達成されるため、ディスプレイの主流になる。しかしながら、スクリーンの表面が、内部の液晶を保護する且つ現像するための一層の現像薄膜であるため、外力によって破損されやくいから、保護鏡で保護する必要がある。
【０００３】
従来の保護鏡の構造は、例えば、付加式保護鏡において、そのサイズと付加構造が適当ではないため、実装されたら、スクリーンの外部ボタンの調整や外部の美観に悪影響を与え、また、当該保護鏡が、下方において、固定されないため、揺り動かしてがたがたする。
【０００４】
また、アクリルからなる薄膜式保護鏡があり、それは、スクリーンの外枠の内縁に確実に固定することが難しく、更に、ステッカーや両面テープで４隅を粘着するが、時間が経つとともにステッカー等が粘着性を失って粘着できなくなり、不便でありながら美観ではなく、また、スクリーンは、外枠の内縁のサイズが異なるため、アクリル薄膜式保護鏡によりスクリーン全面を覆うことが出来ず、スクリーンを閲覧する時の視野が制限され、または、スクリーンの外へ突出することがある。
【考案の開示】
【考案が解決しようとする課題】
【０００５】
本考案の主な要目は、完全にスクリーンを保護する効果が得られる外、全スクリーンを閲覧でき、ディスプレイの制御ボタンの操作を影響しない液晶ディスプレイ用保護鏡の保護装置を提供する。
【課題を解決するための手段】
【０００６】
本考案に係わる当該保護鏡の保護装置は、少なくとも、鏡台と、挟み保持ブロックと、帯とが含有され、当該鏡台は、保護鏡を放置するための上へ向かう開口が形成される凹槽が設けられ、また、その一側から伸ばす突出ブロックがあり、当該挟み保持ブロックは、帯を嵌設するための下へ向かう開口が形成される欠け口が設けられ、当該帯は、両端にそれぞれ支持固定素子が設けられ、そのため、使用する時、鏡台の突出ブロックを、液晶ディスプレイの外枠の内縁に抵当し、保護鏡を、当該鏡台の凹槽内に放置して定位し、これにより、構造が簡単で、操作が便利で、正常使用やスクリーンの閲覧効果に、全然、影響しない鏡放置構造が形成され、また、保護鏡が倒れて落下することを防止するため、挟み保持ブロックを鏡台の下方に固設し、帯をその欠け口の両側から上方や斜めの後方を回すように、両端にある支持固定素子が、互いに液晶ディスプレイの上部で結合するか、それぞれ、液晶ディスプレイの裏面の放熱穴に係合するかにより、確実且つ安定的に保護鏡を設置する効果が得られる。
【考案を実施するための最良の形態】
【０００７】
図1、５のように、当該保護鏡の保護装置は、少なくとも、
保護鏡4を放置するための上へ向かう開口が形成される凹槽11が設けられ、当該凹槽11の一側から突出ブロック12が伸ばす鏡台1と、
鏡台1の下方に固設され、帯3を嵌設するための下へ向かう開口が形成される欠け口21が設けられる挟み保持ブロック2と、
挟み保持ブロック2の欠け口21に嵌設され、両端に、それぞれ、フックやタッチファスナー或いはベルトファスナー等である支持固定素子31が設けられる帯3と、
ガラスやアクリル或いは透過率が良い透明プラスチック等のような枠無しの透明材質で作製される保護鏡4と、が含有され、
実用に応じて、単独に鏡台1を使用して保護鏡4を実装することができるし、鏡台1と挟み保持ブロック2及び帯3を使用して保護鏡4を実装することもよく、図2〜4のように、使用する時、鏡台1の突出ブロック12を、液晶ディスプレイ5の外枠の内縁に抵当し、保護鏡4を、当該鏡台1の凹槽11内に放置して定位し、これにより、簡単且つ快速的に液晶ディスプレイ5のスクリーンの前に、保護用の保護鏡4が設置され、鏡台1の体積が小さく、使用される保護鏡4に、外枠無しの設計であるため、スクリーンに実装されても、液晶ディスプレイ5全体の美観を影響せず、また、外部制御ボタン51の正常操作に影響しない。
【０００８】
図6〜8のように、保護鏡4が外力により倒れて落下することを防止するため、挟み保持ブロック2を鏡台1の下方に固設し、また、帯3を、その欠け口21の両側から上方や斜めの後方を回すように、両端にある支持固定素子31が、互いに液晶ディスプレイ5の上部で結合するか、それぞれ、液晶ディスプレイ5の裏面の放熱穴に係合するかにより、確実且つ安定的に保護鏡4を設置する効果が得られる。
【０００９】
上記の鏡台1と挟み保持ブロック2とを合わせて使用する場合、簡単に保護鏡4が組立てられるだめでなく、意外的に倒れて落下することを防止でき、また、両部品を、一体成型により作製されてもいいし、直接に、鏡台1の上方に凹槽11を設けて、下方に対応する欠け口21を設け、そしおて、同じように凹槽11の一側から伸ばす突出ブロック12を設ける構造によると、コストの低減が実現されて、より経済的である。
【００１０】
また、上記の、保護鏡4が意外的に液晶ディスプレイ5や鏡台1から倒れて落下するため、帯3を回す方式は、更に、門形カバー６を利用して、同時に、保護鏡4と液晶ディスプレイ5をカバーしてもよく、また、当該門形カバー６は、ゴムや簡単で壊れにくい材質から作製され、同時に保護鏡4と液晶ディスプレイ5をカバーして固定できれば良い。
【００１１】
本考案は、上記の実施形態の他に、更に、挟み保持ブロック2を使用せず、図９のように、直接に、保護鏡4の隅において、適当な位置に貫通穴41が設けられ、帯3を、それぞれ、二つの貫通穴41に嵌設して、また、液晶ディスプレイ5の裏面の上方や下方において、両端にある支持固定素子31が、互いに結合することにより、固定されることにより、同様に、確実且つ安定的に保護鏡を設置する効果が得られる。
【００１２】
以上のように、本考案に係わる液晶ディスプレイ用保護鏡の保護装置は、構造が簡単で、操作が便利であるため、従来の保護鏡装置の欠点が解消され、また、スクリーンの閲覧やディスプレイの制御ボタンの正常操作に、完全に影響しないため、液晶ディスプレイの正常使用に干渉しないことが得られるから、新鋭性や進歩性を持ち、法に従って実用新案登録請求を出願する。
【図面の簡単な説明】
【００１３】
【図１】本考案に係わる保護鏡用の保護装置の外観図
【図２】本考案に係わる保護鏡用の保護装置の実施例図
【図３】本考案に係わる保護鏡用の保護装置の実施例の正面図
【図４】本考案に係わる保護鏡用の保護装置の実施例の側面図
【図５】本考案に係わる保護鏡用の保護装置の他の構造の分解図
【図６】図5の保護鏡用の保護装置の実施例図
【図７】図5の保護鏡用の保護装置の他の実施例図
【図８】図6、7の両実施例のそれぞれの側面図（Ａ）（Ｂ）
【図９】本考案に係わる他の実施例の立体図
【符号の説明】
【００１４】
1             鏡台
11            凹槽
12            突出ブロック
2             挟み保持ブロック
21            欠け口
3             帯
31            支持固定素子
4             保護鏡
41            貫通穴
5             液晶ディスプレイ
51            制御ボタン
6             門形カバー
【図１】
0003120025.tif 000003
【図２】
0003120025.tif 000004
【図３】
0003120025.tif 000005
【図４】
0003120025.tif 000006
【図５】
0003120025.tif 000007
【図６】
0003120025.tif 000008
【図７】
0003120025.tif 000009
【図８】
0003120025.tif 000010
【図９】
0003120025.tif 000011
【手続補正書】
【提出日】平成18年1月16日(2006.1.16)
【手続補正１】
【補正対象書類名】実用新案登録請求の範囲
【補正対象項目名】請求項３
【補正方法】変更
【補正の内容】
【請求項３】
当該保護鏡は、ガラスやアクリル或いは透過率が良い透明プラスチック等の材質で作製されることを特徴とする請求項１または２記載の液晶ディスプレイ用保護鏡の保護装置。
【手続補正２】
【補正対象書類名】実用新案登録請求の範囲
【補正対象項目名】請求項４
【補正方法】変更
【補正の内容】
【請求項４】
更に、同時に保護鏡と鏡台をカバーできる門形カバーがあることを特徴とする請求項１または２記載の液晶ディスプレイ用保護鏡の保護装置。